(57)【要約】【課題】  例えばステンレスボトルのような携帯用飲料容器の外観特性を損なうことなく、底部の保護、取り扱い性の向上等の利点を得られるようにすること。【解決手段】  立てて置いたときに接地する底部１９が金属で形成された携帯用飲料容器１１であって、上記底部１９の底面に、該底部１９を浮かす板状の底板部材２７を固定した携帯用飲料容器１１。【選択図】    図１
2005132441.tif 000002
【特許請求の範囲】
【請求項１】
立てて置いたときに接地する底部が金属で形成された携帯用飲料容器であって、
上記底部の底面に、該底部を浮かす板状の底板部材を固定した
携帯用飲料容器。
【請求項２】
前記底板部材が前記底部の径よりも小径である
請求項１に記載の携帯用飲料容器。
【請求項３】
前記底部の底面に、前記底板部材固定用の凹部又は凸部を形成するとともに、
上記底板部材の上面における上記凹部又は凸部と対向する位置に、上記凹部又は凸部と嵌合する凸部又は凹部を形成した
請求項１又は２に記載の携帯用飲料容器。
【請求項４】
前記底板部材が、合成樹脂製又はゴム製である
請求項１、２又は３に記載の携帯用飲料容器。
【請求項５】
前記底板部材の下面に、文字や図形からなる表示部を形成した
請求項１、２、３又は４に記載の携帯用飲料容器。
【発明の詳細な説明】
【技術分野】
【０００１】
この発明は、例えばステンレス製の魔法瓶（ステンレスボトル）のように、表面に現れる部分が金属で形成された携帯用飲料容器に関する。
【背景技術】
【０００２】
上述例のようなステンレスボトルには、立てて置いたときに接地する底部も金属で形成されたものがあり、その底部は、金属地のままのものもあれば、塗装により適宜の着色、絵付けを施されたものもある。
【０００３】
金属地のままのものも塗装が施されたものも、本体容器がその底部まで、外観上統一性を有するので美麗である。
【０００４】
しかし、特に塗装を施したものでは、立てて置いたときに、例えば砂場や岩場など、立てて置く面が荒れている場合に、小石などに当たることで塗装が剥げてしまうことがある。
【０００５】
塗装が剥げてしまうと、せっかくの美麗な外観が損なわれてしまう。
【０００６】
また、たとえ金属地のままのステンレスボトルであっても、ステンレスボトルを不測に落とした場合や力強く置いた場合には、底部が損傷する難点がある。損傷が生じると外観上はおろか、使用に際して立てることもできなくなるなど、取り扱い性まで悪くなるおそれがある。
【０００７】
また底部が金属製であると、標章や材質などの表示が刻印によるものに限定されてしまい、目立つようなはっきりとした表示がしにくいという難点もある。
【０００８】
下記特許文献１のように、底部に合成樹脂製の部材を被せたステンレス魔法瓶もあるが、その部材は、ステンレスボトルを持ちやすくするハンドルの一端を取付けるためのものであって、本体容器の底部をその周面まで覆ってしまう形状である。このため、本体容器を金属で形成し、その底部まで露出させたことによる外観上の美麗さを得られるものではない。
【０００９】
【特許文献１】実用新案登録第２５１３５９８号公報
【発明の開示】
【発明が解決しようとする課題】
【００１０】
そこでこの発明は、携帯用飲料容器の外観特性を損なうことなく、底部の保護、取り扱い性の向上等の利点を得られるようにすることを主たる課題とする。
【課題を解決するための手段】
【００１１】
そのための手段は、立てて置いたときに接地する底部が金属で形成された携帯用飲料容器であって、上記底部の底面に、該底部を浮かす板状の底板部材を固定した携帯用飲料容器であることを特徴とする。
【００１２】
金属製の底部の下に位置する底板部材は、携帯用飲料容器を立てて置いたときに底部を浮かす。そして底部が、置く面の上の小石など、凹凸に当たることを阻止する。
【００１３】
同時に、底板部材は底部の底面を覆っているので、底部が外力により変形したり傷ついたりすることから保護する。また携帯用飲料容器を置く時には、置く面との間に介在して、素材に応じて滑り止め等の適宜作用を果たす。
【００１４】
しかも底板部材は板状であるので、携帯用飲料容器を立てて置いたときには、底板部材を外観上見えない状態にすることができ、飲料容器の外観特性を保てる。
【００１５】
上記底板部材は、上記底部の径よりも小径に形成するとよい。板状であるために外観上見えなくすることを、確実に実現でき、外観特性を確保できる。
【００１６】
また上記固定のための構成は、例えば、上記底部の底面に、前記底板部材固定用の凹部又は凸部を形成するとともに、上記底板部材の上面における上記凹部又は凸部と対向する位置に、上記凹部又は凸部と嵌合する凸部又は凹部を形成したものであるとよい。このほか、接着、溶着によっても固定できるが、上述のように嵌合による固定であれば、底板部材が損傷した時に交換することが可能である。嵌合に代えてねじ止めで固定するもよく、この場合でも底板部材の交換は可能である。
【００１７】
上記底板部材は、合成樹脂又はゴムで形成するとよい。上記ゴムとは、天然ゴムも合成ゴムも含む意味である。
【００１８】
合成樹脂で形成すると、製造が容易である上に、コストを抑えられる。またゴムで形成すると、滑り止め効果が高い。
【００１９】
また上記底板部材の下面には、文字や図形からなる表示部を形成するとよい。表示部は、凹凸で形成するも、色彩で形成するもよい。表示部には、例えば標章等を表示するのが好ましい。形成された表示部は、内部の飲料を飲む時に高く掲げられることになるので、よく目立つ。
【発明の効果】
【００２０】
以上のように、この発明によれば、金属製の底部の底面には、置く面との間に介在し、底部を保護したりする板状の底板部材を固定するので、金属製の底部が露出する外観特性を有しながらも、底部の保護等を図ることができ、塗膜の剥がれや凹みなどの不都合を防止できる。
【００２１】
底板部材の素材によっては、底部の保護のほか、緩衝、滑り止めなどの効果を達成することもできる。
【００２２】
また、底板部材を別途に固定するので、底板部材に成形等の適宜の方法で適宜の表示部を形成することで、はっきりとした標章等の表示が困難であった金属製魔法瓶に対して、目立つとともに他との差別化を図ることのできる表示が可能となる。この表示部は、本体容器内の飲料を飲む時に周囲の人間の目に止まりやすく、表示宣伝効果が高い。
【発明を実施するための最良の形態】
【００２３】
この発明を実施するための一形態を、以下図面を用いて説明する。  
図１は、ステンレスボトル１１の要部を示す一部断面側面図であり、図２は底面図である。
【００２４】
これらに示すようにステンレスボトル１１は、保温性を有する本体容器１２の上部に肩部材１３を備えたもので、肩部材１３の上端には、本体容器１２内の飲料を飲むための直飲み式の飲み口１４を設けている。図中１５は、飲み口１４を開閉可能に閉塞する螺合式のキャップで、紐部材１６により上記肩部材１３に繋留されている。
【００２５】
上記本体容器１２は、内容器１７と外容器１８と底キャップ１９とからなり、これらはいずれもステンレス製である。また外容器１８と底キャップ１９の外表面には、適宜色の塗装を施している。図中２０は塗膜である。
【００２６】
上記内容器１７は、上記飲み口１４に通ずる開口部（図示せず）を上端に有する有底筒状に形成し、同じく有底筒状に形成する上記外容器１８内に収納される。収納に際しては周面部分と底部分とが二重壁構造になるように、内容器１７と外容器１８との間に、断熱用の断熱空間２１を形成する。
【００２７】
断熱空間２１は、外容器１８の底部に設けた排気管２２からの排気で真空にされる。排気管２２の端は封止され、断熱空間２１が真空に保たれることにより、保温性を有する本体容器１２となる。
【００２８】
上記底キャップ１９は、底板１９ａと周壁１９ｂとを有する有底皿状に形成し、外容器１８の下端縁部に対して圧入固定し、上記排気管２２を含む所定の空間を包囲して、外容器１８の下端部を化粧する。
【００２９】
底キャップ１９の下端外周縁には、図３にも示したように、下へ凸の突条２３を形成し、その内周側に、適宜凹んだ段部２４を設ける。さらにその内側の中央部を、それよりもさらに若干凹めて、円形状の平らな凹面２５を形成している。
【００３０】
そして、上記凹面２５の外周側に位置する上記段部２４に、３つの貫通孔２６を等間隔に形成している。
【００３１】
このような底キャップ１９の底面には、合成樹脂製の底板部材２７を固定する。  
すなわち、底板部材２７は、図３、図４に示したように円板状である。そしてその大きさ（直径D1）は、図５に示したように、底キャップ１９の直径D2よりも小さく設定される。
【００３２】
また、底板部材２７の厚みは、底キャップ１９の底面に固定した時に、底板部材２７のみが接地して、底キャップ１９を浮かす厚みである。浮かす高さhは、ステンレスボトル１１を適宜位置に立てて置いたときに、底キャップ１９、特にその突条２３部分が傷つかないように適宜設定すればよい。
【００３３】
底板部材２７は、上面の中央部が若干盛り上がった状態に形成されるとともに、それよりも外周側における上記貫通孔２６に対応する位置に、該貫通孔２６に嵌合する上に向けて凸の嵌合突起２８が立設されている。
【００３４】
嵌合突起２８の長さ方向の中間位置には、貫通孔２６に嵌合した時に貫通孔２６に締め付けられるように係止する若干のくびれ部２８ａを形成する。
【００３５】
底板部材２７の下面は、中央部が若干凹まされるとともに、周縁部には、放射状に広がって水平な接地面２９ａを有する複数の接地突部２９を形成している。
【００３６】
また、底板部材２７下面の中央部には、商標「ａｂｃ」を肉盛り状に形成し、表示部３０としている。
【００３７】
このように構成したステンレスボトルでは、ステンレス製の底キャップ１９の下に位置する底板部材２７が、ステンレスボトル１１を立てて置いたときに底部を浮かし、置いた面の上の小石など、凹凸に当たることを阻止する。
【００３８】
このため、底キャップ１９の表面に形成した塗膜２０が傷つき、剥がれることはなく、外観を美しく保護できる。
【００３９】
同時に、底板部材２７は底キャップ１９の底面を覆っているので、底キャップ１９が外力により変形したり傷ついたりすることから保護する。またステンレスボトル１１を置く時には、置く面との間に介在して、合成樹脂の性質に基づいた作用、例えば緩衝作用、滑り止め作用を果たす。
【００４０】
しかも底板部材２７は板状であるとともに、上記底キャップ１９の径よりも小径であるので、ステンレスボトル１１を立てて置いたときには、底板部材２７を外観上見えない状態にすることができ、ステンレスボトル１１の外観特性を保てる。
【００４１】
また底板部材２７の固定は、嵌合突起２８と貫通孔２６との嵌合により行うので、底板部材２７が損傷した時には交換することが可能で、便利である。
【００４２】
また上記底板部材２７の下面には表示部３０を形成して、商標を表示しており、この表示部３０は、本体容器１２内の飲料を飲む時に高く掲げられ、よく目立つ。このため、周囲の人間の目に止まりやすく、表示宣伝効果が高い。
【００４３】
この発明の構成と上記一形態の構成との対応において、  
この発明の携帯用飲料容器は、発明を実施するための一形態におけるステンレスボトル１１に対応し、  
以下同様に、  
底部は、底キャップ１９に対応し、  
底部に形成した凹部又は突部は、貫通孔２６に対応し、  
底板部材に形成した凸部又は凹部は、嵌合突起２８に対応するも、  
この発明は、上記一形態の構成のみに限定されるものではない。
【００４４】
例えば、この発明の携帯用飲料容器は、直飲み式で保温機能を有するステンレスボトルに限定されるものではなく、例えばコップに注いで飲むタイプのものなど、様々な携帯用飲料容器であるもよい。また底キャップ１８なしで外容器の底部が露出している構造の携帯用飲料容器であるもよい。
【００４５】
底板部材２７の大きさは、底キャップ１９と同径に設定し、底キャップ１９の底面全体を覆うようにするもよい。この場合でも、底板部材２７は板状であるので、目立たない。
【００４６】
また底板部材２７は、図６に示したように、合成ゴムで形成するもよく、この場合には、滑り止め効果が得られるとともに、緩衝効果が高まる。なお、図６においては上記構成と同様の部位については、同一の符号を付してその詳しい説明を省略した。
【図面の簡単な説明】
【００４７】
【図１】ステンレスボトルの一部断面側面図。
【図２】ステンレスボトルの底面図。
【図３】要部の分解斜視図。
【図４】底板部材の斜視図。
【図５】要部断面図。
【図６】他の例の要部断面図。
【符号の説明】
【００４８】
１１…ステンレスボトル
１９…底キャップ
２６…貫通孔
２７…底板部材
２８…嵌合突起
３０…表示部
【図１】
2005132441.tif 000003
【図２】
2005132441.tif 000004
【図３】
2005132441.tif 000005
【図４】
2005132441.tif 000006
【図５】
2005132441.tif 000007
【図６】
2005132441.tif 000008